(57)【特許請求の範囲】
【請求項１】
梁に設けられた吊具によって屋根体を吊下げ支持する屋根体の取付方法であって、上記梁の下面の長手方向に沿って下方に開口する取付溝が形成されており、この取付溝の開口部をはさんで互いに向き合う開口縁が形成されている一方、上記吊具の上端部の互いに反対側から突出した第１の係合片と第２の係合片とが下向きに屈曲形成されており、上記吊具の第１の係合片を梁の取付溝の一方の開口縁の内側に係合させた状態で吊具を回転させて第２の係合片を取付溝内に進入させ、取付溝内に進入した吊具を取付溝内で移動させて第２の係合片を取付溝の他方の開口縁に係合させることを特徴とする屋根体の取付方法。
【請求項２】
上記一方の開口縁の幅を上記他方の開口縁の幅よりも大きく形成するとともに、これに対応して上記吊具の第１の係合片を第２の係合片よりも大きく吊り片に対して突出させたことを特徴とする、請求項１に記載の屋根体の取付方法。
【請求項３】
上記第２の係合片を取付溝の他方の開口縁に係合させることに代え、上記第２の係合片を上記取付溝の他方の開口縁に形成した嵌合溝に嵌合させることを特徴とする、請求項１又は２に記載の屋根体の取付方法。
【請求項４】
上記取付溝の溝壁に止着したネジを上記第１又は第２の係合片に係合させて上記吊具を上記梁の長手方向における位置決めをすることを特徴とする、請求項１〜３のいずれかに記載の屋根体の取付方法。
【請求項５】
梁に設けられた吊具によって屋根体を吊下げ支持する屋根構造体であって、上記梁の下面の長手方向に沿って下方に開口する取付溝を形成し、この取付溝の開口部をはさんで互いに向き合う開口縁を形成する一方、上記吊具の上端部の互いに反対側から突出した第１の係合片と第２の係合片とを前記吊具と一体に下向きに屈曲形成し、前記上端部の幅は、前記開口部の幅より大きく、かつ上記吊具の第１の係合片を梁の取付溝の一方の開口縁の内側に係合させた状態で吊具を回転させたときに第２の係合片が取付溝内に進入可能な幅であり、取付溝内に進入した吊具が取付溝内で移動可能であり第２の係合片が取付溝の他方の開口縁に係合されていることを特徴とする屋根構造体。
【発明の詳細な説明】
【技術分野】
【０００１】
本発明は、支柱間の梁の下に吊具を介して屋根体を吊り下げ支持する屋根体の取付方法及び屋根構造体に関する。
【背景技術】
【０００２】
一般に、車庫に設置されるカーポートは、左右両側の支柱の上部に架設された前部の梁と、両側支柱の後部にそれぞれ設けられた左右の支柱に架設された後部の梁とに屋根体を支持させたものであるが、梁に屋根体を支持する方式には、特許文献１に示されるように、梁の上部に屋根体を支持する方式と、梁の下に屋根体を吊り下げ支持する方式とが考えられている。
【０００３】
梁の下に屋根体を吊り下げ支持する方式では、屋根体の両側を吊り部材を介して梁に吊り下げ支持している。
【０００４】
ところで、最近は、屋根構造体の概念は、屋根が風雨等から人や車を守るという共通の観点に立ち、単にカーポートやテラス屋根や玄関アプローチにおける玄関庇を一体に構成した大型屋根構造体の実現に向けた機運が高まってきている。このような大型屋根構造体によれば、居心地のよいインテリアの延長空間を室外側に創出することができる。
【先行技術文献】
【特許文献】
【０００５】
【特許文献１】特開２００３−２６８９９８号公報
【発明の概要】
【発明が解決しようとする課題】
【０００６】
しかしながら、この場合の大型屋根構造体は屋根体自体が広く大きくなるので、単に特許文献１のように、屋根体の両側を各１個の吊具を設け、この吊具を介して梁に吊り下げ支持するというのでは、強度不足は否めない。このため、梁の下に多くの吊具を設ける必要がある。ところが、従来の吊具は複数の取付部材を介して梁に取り付けられているので、取付作業が煩雑であった。例えば、特許文献１の構成によれば、予め裏板を梁の溝に挿入して所定の位置までスライドさせ、溝の下に屋根連結具（吊具）を手で保持しておき、さらに屋根連結具に取り付けた連結部材をボルトで裏板に固定していた。この場合、手放しで施工することはできないので、作業員の一人が屋根連結具を支え、他の一人がボルトを締結しなければならなかった。したがって、梁に多くの吊具を取り付けるためには手間と時間がかかるという問題があった。
【０００７】
本発明は上記問題点を解消し、梁に対して容易かつ確実に吊具を取り付けることができる屋根構造体を提供することをその課題とする。
【課題を解決するための手段】
【０００８】
上記課題を解決するため、請求項１に係る発明は、梁に設けられた吊具によって屋根体を吊下げ支持する屋根体の取付方法であって、上記梁の下面の長手方向に沿って下方に開口する取付溝を形成し、この取付溝の開口部をはさんで互いに向き合う開口縁を形成する一方、上記吊具の上端部の互いに反対側から突出した第１の係合片と第２の係合片とを下向きに屈曲形成し、上記吊具の第１の係合片を梁の取付溝の一方の開口縁の内側に係合させた状態で吊具を回転させて第２の係合片を取付溝内に進入させ、取付溝内に進入した吊具を取付溝内で移動させて第２の係合片を取付溝の他方の開口縁に係合させたことを特徴とする。
【０００９】
請求項２に係る発明は、請求項１において、上記一方の開口縁の幅を上記他方の開口縁の幅よりも大きく形成するとともに、これに対応して上記吊具の第１の係合片を第２の係合片よりも大きく突出させたことを特徴とする。
【００１０】
請求項３に係る発明は、請求項１又は２において、上記第２の係合片を取付溝の他方の開口縁に係合させることに代え、上記第２の係合片を上記取付溝の他方の開口縁に形成した嵌合溝に嵌合させることを特徴とする
請求項４に係る発明は、請求項１〜３のいずれかにおいて、上記取付溝の溝壁に止着したネジを上記第１又は第２の係合片に係合させて上記吊具を上記梁の長手方向における位置決めをすることを特徴とする。
【発明の効果】
【００１１】
請求項１に係る発明によれば、梁に吊具を取り付けるに際し、吊具の第１の係合片を梁の取付溝の一方の開口縁の内側に係合させた状態で吊具を回転させながら押し込んで全体を一方の開口縁側に移動させ、第２の係合片を押し上げて吊具の上端部を取付溝内に進入させ、さらに吊具を取付溝内で引き戻して第２の係合片を取付溝の他方の開口縁に係合させる構成であるから、ネジや特別の治具等を用いることなく、高所にある梁に対しても、作業員が一人で吊具を梁に対して容易かつ確実に取り付けることができる。
【００１２】
請求項２に係る発明によれば、一方の開口縁の幅を上記他方の開口縁の幅よりも大きく形成するとともに、これに対応して上記吊具の第１の係合片を第２の係合片よりも大きく突出させたので、幅が大きい一方の開口縁に突出度合いの大きい第１の係合片を係合させることで吊具を回動させるための遊びを形成できるとともに、開口縁の幅に違いがあるので係合作業時の方向がわかりやすい。
【００１３】
請求項３に係る発明によれば、上記第２の係合片を取付溝の他方の開口縁に係合させることに代え、上記第２の係合片を上記取付溝の他方の開口縁に形成した嵌合溝に嵌合させる構成であるから、上記第２の係合片を上記嵌合溝に嵌合したとき、吊具の吊り下げ支持と同時に、吊具の梁の幅方向における位置決めも行われる。
【００１４】
請求項４に係る発明によれば、吊具を梁の長手方向における位置決め作業を、作業員が１人でも行うことができる。
【図面の簡単な説明】
【００１５】
【図１】本発明に係る大型屋根構造体の斜視図
【図２】（ａ）（ｂ）（ｃ）（ｄ）は梁に吊具を取り付ける手順を示す説明図
【図３】梁に吊具を取り付けた状態を示す断面図
【図４】梁に吊具を取り付けた状態を示す斜視図
【図５】（ａ）（ｂ）は吊具に対する垂木の取付態様説明図
【図６】吊具に対する垂木と屋根パネルの取付状態を示す側面図
【発明を実施するための形態】
【００１６】
図１に大型屋根構造体の斜視図を示す。この大型屋根構造体は、設置スペースの間口部１を基準として左右１対の中空の金属製支柱２、２が前後に配置されている。左右の支柱２、２の上部には中空の金属製梁３が設けられている。前後の梁３は平行で、梁３の両端はブラケット（図示せず）を介して支柱２の上端に連結され、これにより門形の屋根支持部材が構成されている。なお、設置スペースとしては、自動車２、３台分の駐車スペースや、あるいは自動車１台分と玄関アプローチ、さらにはテラス部分も含むような大きなスペースが想定されている。
【００１７】
前後の梁３には複数の吊具１０が取り付けられ、吊具１０に屋根体Ａが吊り下げ支持されている。屋根体Ａは前後枠１１、１２と左右の両側枠１３とを方形に組んでなる屋根枠１４と、前後枠１１、１２に平行に架け渡された垂木１５と、屋根枠１４と垂木１５との間の空間部内に固定された屋根パネル１６とから構成されている。梁３の吊具１０には垂木１５が固定され、これにより屋根体Ａが吊り下げ支持されている。
【００１８】
次に、梁３の下部に吊具１０を取り付ける構成と吊具１０に屋根体Ａを吊り下げる構成について説明する。
【００１９】
すなわち、梁３の下部には一定の間隔をおいて複数の吊具１０が取り付けられている。
【００２０】
図２、図３及び図４に示されるように、梁３の中空部３ａの下部には下方に開口するアリ溝（取付溝）１８が長手方向に沿って形成されている。アリ溝１８の開口部１９をはさんで両側には第１の開口縁２０と第２の開口縁２１が向き合うように形成されている。また、第１の開口縁２０の方が第２の開口縁２１よりも長く形成されているとともに、第２の開口縁２１には嵌合溝２２が形成されている。さらに、第２の開口縁２１側の溝壁２３にはネジ孔２４が形成されている。
【００２１】
これに対し、吊具１０は、上端部に形成された取付部１０ａの前後両端にそれぞれ同じ長さの第１の係合片２５と第２の係合片２６を下向きに屈曲形成し、取付部１０ａの左右両側からは吊り片１７を垂下形成し、吊り片１７の両側に補強リブ１７ａを形成した金属製部材で、両側の補強リブ１７ａの下部には斜め上向きに突出する係合爪３７が互いに向き合う位置に形成されている。取付部１０ａの前後の幅はアリ溝１８の開口部１９の幅よりも大きくなるように形成されている。また、第１の係合片２５の吊り片１７から突出した出量Ｌ１は、吊具１０の第１の開口縁２０の内側空間で自由に動ける程度に形成し、第２の係合片２６の吊り片１７から出量Ｌ２は、吊具１０の第２の開口縁２１の内側空間に収まる程度に形成すればよい。さらに、取付部１０ａから第２の係合片２６にかけてネジが係合する程度の幅の係合孔２７が形成され、左右の吊り片１７の対応する位置にはボルト挿通孔２８（図４参照）が形成されている。
【００２２】
上記アリ溝１８の上底部３０の高さは同じではなく、第１の開口縁２０側の部分３０ａよりも第２の開口縁２１側の部分３０ｂの方が若干高くなるように形成されている。そして、第１の開口縁２０側の高さは第１の係合片２５の高さと略同じであり、第２の開口縁２１の嵌合溝２２の先端の溝壁の高さから上底部３０ｂまでの高さＨは第２の係合片２６の高さよりもやや大きくなるように形成されている。また、第２の開口縁２１の嵌合溝２２は、第２の係合片２６の先端が嵌り合う程度に形成されている。
【００２３】
上記構成の吊具１０を梁３の下部に取り付けるときは、まず、図２（ａ）（ｂ）のように、吊具１０を斜めにして第１の係合片２５をアリ溝１８の開口部の内側から入れ込み、第１の開口縁２０に係合させる。この状態で吊具１０を回転させながら押し込んで全体を前側（第１の開口縁２０側）に移動させ、吊具１０の上端を梁３のアリ溝１８内に押し上げながら前側に押し込んで第２の係合片２６をアリ溝１８内に進入させ、吊具１０の上端の取付部１０ａをアリ溝１８の上底部３０に突き当てるようにする。さらに、同図（ｃ）（ｄ）のように、吊具１０を後ろ側（第２の開口縁２１側）に引き戻して第２の係合片２６をアリ溝１８の第２の開口縁２１に係合させる。第１及び第２の係合片２５、２６は、それぞれ第１及び第２の開口縁２０、２１に係合することにより、吊具１０は梁３に吊り下げ支持された状態となる。
【００２４】
また、第２の係合片２６は幅狭の第２の開口縁２１に係合すると同時に、第２の開口縁２１に形成した嵌合溝２２に嵌合することにより、吊具１０の梁３の幅方向における位置決めがなされる。その後、同図（ｄ）及び図３のように、第２の開口縁２１側の溝壁２３のネジ孔２４にネジ３１をねじ込み、ネジ３１を吊具１０の第２の係合片２６の所定位置に形成した係合孔２７に係合させる。これにより、吊具１０の梁３の長手方向における位置決めがなされる。
【００２５】
このように、第２の係合片２６を第２の開口縁２１に形成した嵌合溝２２に嵌合させることにより、吊具１０は梁３の幅方向において位置決めされ、また、溝壁２３のネジ孔２４にねじ込んだネジ３１を第２の係合片２６の係合孔２７に係合させることにより、吊具１０は梁３の長手方向において位置決めされる。同じ要領で、梁３の下部に一定の間隔をおいて複数の吊具１０が取り付けられる。
【００２６】
次に、吊具１０の下部には屋根体Ａの垂木１５が取り付けられている。垂木１５は屋根枠１４の前枠１１と後枠１２とに架設される部材で、図５（ａ）（ｂ）に示されるように、細長の真直状板状体１５ａの上部中央には、その長手方向に沿って中空立上り部３２を上向きに突出形成し、中空立上り部３２の両側に屋根パネルの支持部３３を張り出し形成した部材で、中空立上り部３２の上端部の両側下部には下向きに開口する係合溝３４が形成され、さらにその下方には、外側から内側に斜め下向きにネジ受け溝３５が形成されている。支持部３３にはその長手方向に沿って互いに平行に形成された２条の嵌合突条にビート３６が嵌合固定されている。
【００２７】
吊具１０の下部に垂木１５を固定するときは、前後の梁３の下に垂木１５を配置し、図５（ａ）のように梁３に固定した吊具１０の下方位置から垂木１５を押し上げ、同図（ｂ）に示されるように、垂木１５の中空立上り部３２を吊具１０の２つの吊り片１７、１７の間から強く押し込み、吊り片１７の係合爪３７を中空立上り部３２の係合溝３４に弾発係合させる。さらに、図６に示されるように、吊り片１７のボルト挿通孔２８から中空立上り部３２に管状スペーサ４０とともに固定ボルト４１を嵌挿し、ナット４４で止着固定する。
【００２８】
さらに、図１に示されるように、各垂木１５の前後端部にはそれぞれ前枠１１と後枠１２が固定され、前後枠１１、１２の両端には側枠１３が固定されている。側枠１３は、両端の垂木１５と一体的に取り付けられている。
【００２９】
次に、屋根パネル１６は、垂木１５とパネル押え４２とによって上下から挟持固定されている。屋根パネル１６は透光性合成樹脂の細長平板によって構成され、その側端縁は垂木１５の支持部３３の２条のビート３６とパネル押え４２のビート３９とによって挟持固定されている。パネル押え４２は、中空立上り部３２のネジ受け溝３５上に当接され、ネジ受け溝３５に螺着されたネジ３８によって固定されている。また、屋根パネル１６の前後端部はそれぞれ前枠１１と後枠１２に支持される。
【００３０】
なお、屋根体Ａの中央には左右方向に垂木連結材（図１参照）４３が配置され、各垂木１５にネジ止め固定されている。
【００３１】
上述のように、梁３に吊具１０を取り付けるに際し、吊具１０の第１の係合片２５を梁３のアリ溝１８の第１の開口縁２０の内側に係合させた状態で吊具１０を回転させながら押し込んで全体を第１の開口縁２０側に移動させ、第２の係合片２６を押し上げて吊具１０の上端部をアリ溝１８内に進入させ、さらに吊具１０をアリ溝１８内で引き戻して第２の係合片２６の先端を、アリ溝１８の第２の開口縁２１に係合させることにより、吊具１０は梁３に吊り下げ支持される。この作業は、ネジ等を使わずに作業員が１人で行うことができる。そして、手放しの状態でも吊具１０を梁３に支持させることができる。ネジ等を使わず、吊具１０の下部を持ちつつ取り付け作業ができるので、高所にある梁３に対しても作業員１人で吊具１０の取り付け作業を行うことができる。
【００３２】
また、第２の係合片２６の先端は、第２の開口縁２１に係合すると同時に、嵌合溝２２に嵌合することにより、自動的に吊具１０を梁３の幅方向において位置決めされるから、特別な作業を必要としない。あとは、梁３に止着したネジ３１を第２の係合片２６の係合孔２７に係合させて吊具１０を梁３の長手方向において位置決めすればよい。したがって、位置決め作業も作業員が１人で行うことができる。
【００３３】
さらに、梁３と吊具１０とを固定するネジ３８はアリ溝１８の溝壁２３からねじ込むので、下方からは見えにくい。そのため、完成した屋根構造体の内観がネジ頭部の露出によって損なわれることがない。
【００３４】
なお、取付溝は開口部をはさんで第１の開口縁２０と第２の開口縁２１が形成されていればよく、アリ溝に限定されない。
【００３５】
また、吊具１０を取付溝に固定する態様も、アリ溝１８の溝壁２３から挿通したネジ３１を第２の係合片２６に止着して固定するものに限定されない。
【００３６】
また、上述の実施形態では、第２の係合片２６をアリ溝２８の第２の開口縁２１に係合すると同時に嵌合溝２２に嵌合させることにより、吊具１０を吊り下げ支持すると同時に、梁３の幅方向において位置決めしたが、第２の開口縁２１をフラットに形成し、第２の開口縁２１上に第２の係合片２６を係合させることにより吊具１０を吊り下げ支持し、嵌合溝２２でなく、他の適宜の手段により吊具を梁の幅方向に位置決めするようにしてもよい。例えば、アリ溝１８の第１の開口縁２０側の溝壁からねじ込み貫通させたネジ（図示せず）の先端を第１の係合片２５に押し当てて第２の係合片２６を第２の開口縁２１側の溝壁２３に押圧する構成などが考えられる。
【００３７】
さらに、上述の屋根構造体は、屋根体Ａをフラットにすることにより、従来のカーポートの中骨のような屋根パネルの支持部材を設けることなく屋根パネルを支持することができるから、簡素な屋根構造となる。また、地面をカバーして雨から保護する面積は、屋根全体の表面積と略同じであるから、地面を効率的に覆うことができる。したがって、屋根体Ａの全体重量はアーチ形状のものに比べて軽減され、地面を覆う面積を考慮すれば、梁３に対する荷重負担はあまり大きくならないから、例えば、車庫と玄関とテラスとを覆うような大型屋根構造体を実現することができ、屋根構造体の多用途展開が可能となる。
【００３８】
また、屋根体Ａはフラットで、内側には主に複数の垂木１５が平行に現れるだけであり、梁３や柱２の上部は目立たない構成であるから、構造体が大型化しても、シンプルで優美なデザインとなり、居心地がよく、快適で、居住性に優れるインテリアの空間を室外側にまで延長して創出することができる。
【符号の説明】
【００３９】
３      梁
１０    吊具
１１    前枠
１２    後枠
１５    垂木
１６    屋根パネル
１８    アリ溝（取付溝）
２０    第１の開口縁（一方の開口縁）
２１    第２の開口縁（他方の開口縁）
２２    嵌合溝
２３    溝壁
２５    第１の係合片
２６    第２の係合片
３１    ネジ
３２    中空立上り部
３３    支持部
３５    ネジ受け溝
４２    パネル押え
【図１】
0005988354.tif 000002
【図２】
0005988354.tif 000003
【図３】
0005988354.tif 000004
【図４】
0005988354.tif 000005
【図５】
0005988354.tif 000006
【図６】
0005988354.tif 000007